(57)【要約】      （修正有）【課題】魚の誘引のために施す表面処理の強度を確保したルアーを提供する。【解決手段】ルアー１は、本体２並びにアイ３及び４を備えている。本体２の表面には、凹凸形状が全面に形成されている。凹凸形状は、上下両方に向かって四角錐状に突出した複数の凸部と、凸部同士の間に形成された複数の凹部とからなる。本体２は、亜鉛または鉛を主成分とする合金製の鋳物と、この鋳物の表面に形成されためっき層とから構成されている。めっき層は、鋳物とは異なる成分の合金からなる。【選択図】図１
0003213420.tif 000002
【実用新案登録請求の範囲】
【請求項１】
複数の凸部が表面に形成された鋳物を備えていることを特徴とするルアー。
【請求項２】
前記複数の凸部が、前記鋳物の表面に沿って２次元的に並んでいることを特徴とする請求項１に記載のルアー。
【請求項３】
前記鋳物の表面にめっき層が形成されていることを特徴とする請求項１又は２に記載のルアー。
【考案の詳細な説明】
【技術分野】
【０００１】
本考案は、ルアーに関する。
【背景技術】
【０００２】
特許文献１には、魚の誘引のための表面処理としてホログラムシートが貼付されたルアー（擬似餌）が記載されている。
【先行技術文献】
【特許文献】
【０００３】
【特許文献１】特開２０１６−２０２２号公報
【考案の概要】
【考案が解決しようとする課題】
【０００４】
ホログラムシートは、粘着剤や接着剤によってルアー本体に貼付される。このため、ルアーの材質と粘着剤等の組み合わせによっては貼り付けの強度をあまり確保できないおそれがある。また、貼付直後の強度は確保できても、長期間の使用により粘着剤等が劣化し、強度が低下しやすい。
【０００５】
本考案の目的は、魚の誘引のために施す表面処理の強度を確保したルアーを提供することにある。
【課題を解決するための手段】
【０００６】
本考案のルアーは、複数の凸部が表面に形成された鋳物を備えている。
【０００７】
本考案のルアーによると、魚を誘引するための表面処理として複数の凸部が鋳物の表面に形成されている。したがって、ホログラムシートを用いる場合と比べて表面の強度が確保されやすく、長期間の使用に対しても強度が低下しにくい。
【０００８】
また、本考案においては、前記複数の凸部が、前記鋳物の表面に沿って２次元的に並んでいることが好ましい。これによると、複数の凸部が表面に沿って２次元的に並ぶような複雑な表面形状であっても、鋳物の表面に形成することで加工が容易である。
【０００９】
また、本考案においては、前記鋳物の表面にめっき層が形成されていることが好ましい。これによると、鋳物の表面にめっき層が形成されているので、表面が保護されると共に、外観による魚の誘引性の向上につなげやすい。
【図面の簡単な説明】
【００１０】
【図１】本発明の一実施形態に係るルアーの平面図である。
【図２】図１のルアーの正面図である。
【図３】図１のＩＩＩ−ＩＩＩ線断面図である。なお、ルアー表面に形成された凹凸の図示は省略している。
【図４】図１のルアー表面の拡大図である。
【図５】図５（ａ）及び図５（ｂ）は、図１のルアーの変形例に係る断面図であって、互いに異なる態様の凹凸を示す図である。
【考案を実施するための形態】
【００１１】
本考案の一実施形態に係るルアー１について図１〜図４を参照しつつ説明する。以下、前後左右の各方向は図１に記載した方向を示し、上下方向は図２に記載した方向を示すものとする。なお、これらの方向は以下の説明のために設定されたものに過ぎず、ルアー１の使用時の方向等とは必ずしも関係しない。ルアー１は、本体２並びにアイ３及び４を備えている。本体２は、亜鉛または鉛を主成分とする合金製の鋳物と、この鋳物の表面に形成されためっき層とから構成されている。めっき層は、鋳物とは異なる成分の合金からなり、表面における可視光の反射率を鋳物よりも高めると共に、鋳物の表面を保護する役割を担っている。
【００１２】
本体２は、図１に示すように、平面視において左右方向に長尺な紡錘型の概略形状を有している。アイ３及び４は、ステンレス製の輪状の部材であり、本体２の長尺方向に関する端部にそれぞれ配置されている。本体２の後端縁２ｘは後方に向かって凸の山型の形状を有している。本体２の前端縁２ｙは前方に向かって凸の山型の形状を有している。後端縁２ｘと前端縁２ｙとは互いに形状が異なっている。平面形状において本体２には対称点も対称軸も存在しない。また、本体２は、図２に示すように扁平な正面形状を有している。正面形状においても本体２には対称点も対称軸も存在しない。さらに、本体２は、左右方向に直交する断面形状において、図３に示す通り、波打つように湾曲している。これにより、本体２には上方に突出した突出部５と下方に突出した突出部６とが形成されている。突出部５及び６のいずれも、本体２の左端付近から右端付近まで延びている。この断面形状においても本体２には対称点も対称軸も存在しない。
【００１３】
本体２の表面には、図４に示すように凹凸形状が全範囲にわたって形成されている。本体２には、図４と反対側の表面にも凹凸形状が同様に全範囲にわたって形成されている。凹凸形状は、具体的には、上下両方に向かって四角錐状に突出した複数の凸部２ａと、凸部２ａ同士の間に形成された複数の凹部２ｂとからなる。複数の凸部２ａは、平面視において互いに鋭角に交わる図４のＡ方向及びＢ方向の両方に沿って連続的に並んでいる。本体２の姿勢や位置が変動すると、反射率を高めるめっき層と凹凸形状とにより、本体２の表面から周囲に向けて煌めくような反射光が放射される。これにより、魚の誘引性が高められている。
【００１４】
ルアー１の製造方法は以下の通りである。まず、凸部２ａ及び凹部２ｂに相当する形状を含む本体２の全体形状に応じて作製された鋳型に、アイ３及び４となるステンレス製の線条部材を設置する。次に、亜鉛または鉛を主成分とする合金の溶湯を鋳型内に流し入れる。そして、鋳型内で合金が凝固するまで放置する。これにより、本体２並びにアイ３及び４が一体となった鋳物体が作製される。さらにその後、この鋳物体の表面にめっき層を形成することによってルアー１が完成する。
【００１５】
以上説明した本実施形態によると、複数の凸部２ａ及び凹部２ｂを含む凹凸形状が本体２の表面に形成されている。これにより、魚の誘引性が高まっている。一方、従来、魚の誘引性を高めるためにはホログラムシートをルアー本体に貼付することがなされていた。しかしながら、ホログラムシートは、粘着剤や接着剤によってルアー本体に貼付される。このため、ルアーの材質と粘着剤等の相性が悪いため強度を確保できなかったり、長期間の使用により粘着剤等が劣化し強度が低下したりするおそれがある。これに対し、本実施形態のルアー１は、凹凸形状を含めて本体２が鋳造により一体に形成されている。したがって、ホログラムシートを用いる場合と比べて長期間の使用にも耐える強度が確保される。
【００１６】
また、本実施形態においては、本体２の表面の全面に凹凸形状が形成されている。つまり、本体２の表面は、凸部２ａが本体２の表面に沿って２次元的に並ぶような複雑な形状を有している。このような複雑な形状であっても、鋳造によって本体２に一体に形成できるので、比較的加工が容易である。
【００１７】
＜変形例＞
以上は、本考案の好適な実施形態についての説明であるが、本考案は上述の実施形態に限られるものではなく、課題を解決するための手段に記載された範囲の限りにおいて様々な変更が可能なものである。
【００１８】
例えば、上述の実施形態においては、ルアー１の本体２の表面に凹凸形状が形成されている。しかし、その他の態様の凹凸がルアーの表面に形成されてもよい。例えば、図５（ａ）に示すように矩形状に突出した複数の凸部１２ａが凹部１２ｂを挟んで連続的に並んだ態様の凹凸が形成されてもよい。また、図５（ｂ）に示すように波型の複数の凸部２２ａ及び凹部２２ｂが連続的に並んだ態様の凹凸が形成されてもよい。
【００１９】
また、上述の実施形態においては、ルアー１が扁平な形状の本体２を有している。しかし、本体が厚みのある形状を有していてもよい。また、本体２には対称軸及び対称点のいずれも存在しない。しかし、本体が対称軸や対称点を有する形状を有していてもよい。
【符号の説明】
【００２０】
１  ルアー
２ａ、１２ａ、２２ａ  凸部
２ｂ、１２ｂ、２２ｂ  凹部
２  本体
【図１】
0003213420.tif 000003
【図２】
0003213420.tif 000004
【図３】
0003213420.tif 000005
【図４】
0003213420.tif 000006
【図５】
0003213420.tif 000007